【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
ナビゲーション用の道路地図データベースを管理する道路地図管理サーバと、前記道路地図データベースの一部である地図データを用いる車載型のナビゲーション装置とからなるネットワーク型ナビゲーション・システムで用いる前記道路地図データベースのデータ更新処理方法であって、
前記ナビゲーション装置から、前記ナビゲーション装置を使用するユーザを識別するユーザＩＤが付与された前記車両の位置からなる走行の経路を示す走行データを取得する走行データ取得処理過程と、
前記走行データが示す経路が前記道路地図データベースに登録されているか否かを判定し、前記走行データが示す経路が前記道路地図データベースに登録されていない場合には、前記ユーザＩＤ付きの走行データを未登録道路情報として記憶する未登録道路情報判定処理過程と、
前記未登録道路情報の各データのうち異なるユーザＩＤからも同一の経路の走行データが取得された場合に、道路のリンク情報を生成し、前記リンク情報を用いて前記道路地図データベースのデータを更新する道路地図データベース更新処理過程と、
前記道路地図データベース更新処理過程で用いられた未登録道路情報をもとにユーザＩＤごとの貢献度を算出し記憶する貢献度算出処理過程と、
前記貢献度を用いて課金する課金処理過程とを備える
ことを特徴とする道路地図データ更新処理方法。
【請求項２】
請求項１に記載の道路地図データ更新処理方法において、
前記道路地図データベース更新処理過程では、前記未登録道路情報が所定の信頼度を満たすものである場合に、前記未登録道路情報をもとに道路のリンク情報を生成して前記道路地図データベースのデータを更新する
ことを特徴とする道路地図データ更新処理方法。
【請求項３】
請求項１に記載の道路地図データ更新処理方法において、
前記道路地図データベース更新処理過程では、同一の経路を示す前記未登録道路情報のうち異なるユーザＩＤのデータ数が所定数に達したか、あるいは、異なるユーザＩＤのデータの信頼度が所定値を満たした場合に、前記未登録道路情報をもとに道路のリンク情報を生成して前記道路地図データベースのデータを更新する
ことを特徴とする道路地図データ更新処理方法。
【請求項４】
請求項１に記載の道路地図データ更新処理方法において、
前記道路地図データベース更新処理過程では、前記未登録道路情報が所定時間以内に所定数蓄積された場合に、前記未登録道路情報をもとに道路のリンク情報を生成して前記道路地図データベースのデータを更新する
ことを特徴とする道路地図データ更新処理方法。
【請求項５】
請求項３または請求項４のいずれか一項に記載の道路地図データ更新処理方法において、
前記道路地図データベース更新処理過程では、前記信頼度として、走行データが示す経路の測位時の測位補助データを用いる
ことを特徴とする道路地図データ更新処理方法。
【手続補正２】
【補正対象書類名】明細書
【補正対象項目名】００１０
【補正方法】変更
【補正の内容】
【００１０】
【課題を解決するための手段】
上記の目的を達成するため、本発明は、ナビゲーション用の道路地図データベースを管理する道路地図管理サーバと、前記道路地図データベースの一部である地図データを用いる車載型のナビゲーション装置とからなるネットワーク型ナビゲーション・システムで用いる前記道路地図データベースのデータ更新処理方法であって、前記ナビゲーション装置から、前記ナビゲーション装置を使用するユーザを識別するユーザＩＤが付与された前記車両の位置からなる走行の経路を示す走行データを取得する走行データ取得処理過程と、前記走行データが示す経路が前記道路地図データベースに登録されているか否かを判定し、前記走行データが示す経路が前記道路地図データベースに登録されていない場合には、前記ユーザＩＤ付きの走行データを未登録道路情報として記憶する未登録道路情報判定処理過程と、前記未登録道路情報の各データのうち異なるユーザＩＤからも同一の経路の走行データが取得された場合に、道路のリンク情報を生成し、前記リンク情報を用いて前記道路地図データベースのデータを更新する道路地図データベース更新処理過程と、前記道路地図データベース更新処理過程で用いられた未登録道路情報をもとにユーザＩＤごとの貢献度を算出し記憶する貢献度算出処理過程と、前記貢献度を用いて課金する課金処理過程とを備える。
【手続補正３】
【補正対象書類名】明細書
【補正対象項目名】００１１
【補正方法】変更
【補正の内容】
【００１１】
本発明は、ユーザの車両に搭載されたナビゲーション装置（車載端末という）から、ユーザＩＤと前記車両の走行データを受信し、前記走行データが示す経路が前記道路地図データベースに登録されているか否かを判定し、前記走行データの経路が前記道路地図データベースに登録されていない経路である場合には、前記走行データを未登録道路情報として記憶する。そして、前記未登録道路情報をもとに、未登録道路情報の各データのうち異なるユーザＩＤからも同一の経路の走行データが取得された場合に、道路のリンク情報を生成して前記道路地図データベースのデータを更新する。その後、前記道路地図データベース更新処理過程で用いられた未登録道路情報をもとにユーザＩＤごとに貢献度を算出して記憶しておき、前記貢献度を用いて課金処理を行う。
【手続補正４】
【補正対象書類名】明細書
【補正対象項目名】００１２
【補正方法】変更
【補正の内容】
【００１２】
これにより、道路地図管理サーバは、ユーザに対し、車両の走行データを管理サーバへ送信するインセンティブを付与して、ユーザが走行データを積極的に提供しようとする環境を提供できる。
また、道路地図管理サーバは、道路地図データベースのデータ更新処理で使用する走行データを容易に収集することができる。
また、ナビゲーション・システムを利用するユーザは、自己の走行データの提供をシステムの利用料金に反映させることができ、料金を低く抑えてシステムを利用することができる。
【手続補正５】
【補正対象書類名】明細書
【補正対象項目名】００１３
【補正方法】変更
【補正の内容】
【００１３】
さらに、前記の構成をとる本発明は、前記未登録道路情報判定処理過程では、前記道路地図データベースに登録されていない同一の経路を示す走行データを所定数以上取得した場合に、前記走行データを未登録道路情報として記憶する。
【手続補正６】
【補正対象書類名】明細書
【補正対象項目名】００１４
【補正方法】変更
【補正の内容】
【００１４】
また、本発明は、前記未登録道路情報判定処理過程では、前記道路地図データベースに登録されていない同一の経路を示す走行データが所定の信頼度を満たすものである場合に、前記走行データを未登録道路情報として記憶する。
【手続補正７】
【補正対象書類名】明細書
【補正対象項目名】００１５
【補正方法】変更
【補正の内容】
【００１５】
また、本発明は、前記道路地図データベース更新処理過程では、前記未登録道路情報が所定の信頼度を満たすものである場合に、前記未登録道路情報をもとに道路のリンク情報を生成して前記道路地図データベースを更新する。
これにより、道路地図管理サーバは、信頼度の高い走行データを用いて道路地図データベースを正確かつ最新の状態に維持することが容易となる。
【手続補正８】
【補正対象書類名】明細書
【補正対象項目名】００１６
【補正方法】変更
【補正の内容】
【００１６】
また、本発明は、前記道路地図データベース更新処理過程では、同一の経路を示す前記未登録道路情報のうち異なるユーザＩＤのデータ数が所定数に達したか、あるいは、異なるユーザＩＤのデータの信頼度が所定値を満たした場合に、前記未登録道路情報をもとに道路のリンク情報を生成して前記道路地図データベースのデータを更新する。
【手続補正９】
【補正対象書類名】明細書
【補正対象項目名】００１７
【補正方法】変更
【補正の内容】
【００１７】
また本発明は、前記道路地図データベース更新処理過程では、前記未登録道路情報が所定時間以内に所定数蓄積された場合に、前記未登録道路情報をもとに道路のリンク情報を生成して前記道路地図データベースのデータを更新する。
【手続補正１０】
【補正対象書類名】明細書
【補正対象項目名】００１８
【補正方法】変更
【補正の内容】
【００１８】
また、本発明は、前記道路地図データベース更新処理過程では、前記信頼度として、走行データが示す経路の測位時の測位補助データを用いる。